(57)【要約】【課題】基地局装置と複数の無線送受信部とを光ファイバでカスケード接続した構成において、無線送受信部のいずれかが障害を発生した場合にも運用システムのサービスを継続する。【解決手段】基地局装置１０１に光ファイバによりカスケード接続された無線送受信部１０２，１０３の各々は、少なくとも後段に接続された他の無線送受信部から上り信号として出力された受信多重信号をバイパスするバスセレクト部２６を有している。例えば、無線送受信部１０２に障害が発生した場合、無線送受信部１０２は、後段に接続された無線送受信部１０３の受信多重信号をバスセレクト部２６によりそのままバイパスして基地局装置１０１に出力する。【選択図】      図１
2004247824.tif 000002
【特許請求の範囲】
【請求項１】
基地局装置と、当該基地局装置に２本または１本の光ファイバによりカスケード接続された複数の無線送受信手段とを有してなる無線基地局システムにおいて、
前記無線送受信手段は、少なくとも後段に接続された他の無線送受信手段から上り信号として出力された受信多重信号をバイパスするバイパス手段を有することを特徴とする無線基地局システム。
【請求項２】
前記無線送受信手段は、後段に接続された他の無線送受信手段から出力された受信多重信号と自己の無線送受信手段の受信多重信号とを合成して前記バイパス手段に出力する第１の合成手段を有し、
前記バイパス手段は、自己の無線送受信手段が障害を発生した場合、前記第１の合成手段から出力された受信多重信号を遮断し、後段に接続された他の無線送受信手段から出力された受信多重信号をそのままバイパスし、前段に接続された前記基地局装置または他の無線送受信手段に出力する、請求項１に記載の無線基地局システム。
【請求項３】
前記バイパス手段は、自己の無線送受信手段が正常動作している場合、前記第１の合成手段から出力された受信多重信号を前段に接続された前記基地局装置または他の無線送受信手段に出力する、請求項２に記載の無線基地局システム。
【請求項４】
前記無線送受信手段は、前段に接続された前記基地局装置または他の無線送受信手段から下り信号として出力された送信多重信号を分配し、一方の送信多重信号をそのまま後段に接続された他の無線送受信手段に出力する第１の分離手段を有する、請求項３に記載の無線基地局システム。
【請求項５】
前記基地局装置は、前記複数の無線送受信手段の各々の設定または状態監視を行う送信制御信号と送信ベースバンド信号とを多重して前記複数の無線送受信手段分の送信多重信号を生成し、後段に接続された無線送受信手段に出力するとともに、後段に接続された無線送受信手段から出力された前記複数の無線送受信手段分の受信多重信号を受信ベースバンド信号と受信制御信号とに分離する、請求項３に記載の無線基地局システム。
【請求項６】
前記無線送受信手段は、
前記第１の分離手段にて分配された他方の送信多重信号を入力とし、入力された他方の送信多重信号から自己の無線送受信手段宛の送信多重信号のみを抽出し、さらに抽出した送信多重信号を送信ベースバンド信号と送信制御信号とに分離して出力する第２の分離手段と、
前記第２の分離手段から出力された送信ベースバンド信号を入力とし、入力された送信ベースバンド信号を外部に無線で送信するために送信無線信号に変換して出力する送信無線処理手段と、
前記第２の分離手段から出力された送信制御信号を入力とし、入力された送信制御信号に基づき前記基地局装置への設定応答または状態監視応答を行う受信制御信号を生成して出力する制御手段と、
外部から無線で受信した受信無線信号を入力とし、入力された受信無線信号を受信ベースバンド信号に変換して出力する受信無線処理手段と、
前記制御手段から出力された受信制御信号および前記受信無線処理手段から出力された受信ベースバンド信号を入力とし、入力された受信制御信号と受信ベースバンド信号とを多重して自己の無線送受信手段の受信多重信号を生成して出力する第２の合成手段とを有する、請求項５に記載の無線基地局システム。
【請求項７】
前記無線送受信手段は、
後段に接続された他の無線送受信手段から出力された受信多重信号を入力とし、入力された受信多重信号を光信号から電気信号に変換して出力する第１の光／電気変換手段と、
前記第１の光／電気変換手段から出力された受信多重信号を入力とし、入力された受信多重信号をシリアルデータからパラレルデータに変換して前記バイパス手段に出力する第１のデシリアライザ手段と、
前記バイパス手段から出力された受信多重信号を入力とし、入力された受信多重信号をパラレルデータからシリアルデータに変換して出力する第１のシリアライザ手段と、
前記第１のシリアライザ手段から出力された受信多重信号を入力とし、入力された受信多重信号を電気信号から光信号に変換し、前段に接続された前記基地局装置または他の無線送受信手段に出力する第１の電気／光変換手段とを有し、
前記バイパス手段は、自己の無線送受信手段が障害を発生した場合に、後段に接続された他の無線送受信手段から出力された受信多重信号を前記第１のデシリアライザ手段から前記第１のシリアライザ手段にバイパスするバスセレクト手段である、請求項６に記載の無線基地局システム。
【請求項８】
前記無線送受信手段は、
前段に接続された前記基地局装置または他の無線送受信手段から出力された送信多重信号を入力とし、入力された送信多重信号を光信号から電気信号に変換して出力する第２の光／電気変換手段と、
前記第２の光／電気変換手段から出力された送信多重信号を入力とし、入力された送信多重信号をシリアルデータからパラレルデータに変換して前記第１の分離手段に出力する第２のデシリアライザ手段と、
前記第１の分離手段にて分配された一方の送信多重信号を入力とし、入力された送信多重信号をパラレルデータからシリアルデータに変換して出力する第２のシリアライザ手段と、
前記第２のシリアライザ手段から出力された送信多重信号を入力とし、入力された送信多重信号を電気信号から光信号に変換し、後段に接続された他の無線送受信手段に出力する第２の電気／光変換手段とを有する、請求項７に記載の無線基地局システム。
【請求項９】
前記無線送受信手段は、
後段に接続された他の無線送受信手段から出力された受信多重信号を入力とし、入力された受信多重信号を光信号から電気信号に変換して前記バイパス手段に出力する第１の光／電気変換手段と、
前記バイパス手段から出力された受信多重信号を入力とし、入力された受信多重信号を電気信号から光信号に変換し、前段に接続された前記基地局装置または他の無線送受信手段に出力する第１の電気／光変換手段と、
前記第１の合成手段から出力された受信多重信号を入力とし、入力された受信多重信号をパラレルデータからシリアルデータに変換して前記バイパス手段に出力する第１のシリアライザ手段と、
前記バイパス手段から出力された受信多重信号を入力とし、入力された受信多重信号をシリアルデータからパラレルデータに変換して前記第１の合成手段に出力する第１のデシリアライザ手段とを有し、
前記バイパス手段は、自己の無線送受信手段が障害を発生した場合に、後段に接続された他の無線送受信手段から出力された受信多重信号を前記第１の光／電気変換手段から前記第１の電気／光変換手段にバイパスする切り替え手段である、請求項６に記載の無線基地局システム。
【請求項１０】
前記無線送受信手段は、
前段に接続された前記基地局装置または他の無線送受信手段から出力された送信多重信号を入力とし、入力された送信多重信号を光信号から電気信号に変換して前記切り替え手段に出力する第２の光／電気変換手段と、
前記切り替え手段から出力された送信多重信号を入力とし、入力された送信多重信号を電気信号から光信号に変換し、後段に接続された他の無線送受信手段に出力する第２の電気／光変換手段と、
前記第１の分離手段にて分配された一方の送信多重信号を入力とし、入力された送信多重信号をパラレルデータからシリアルデータに変換して前記切り替え手段に出力する第１のシリアライザ手段と、
前記切り替え手段から出力された送信多重信号を入力とし、入力された受信多重信号をシリアルデータからパラレルデータに変換して前記第１の分離手段に出力する第１のデシリアライザ手段とを有し、
前記切り替え手段は、自己の無線送受信手段が障害を発生した場合、前段に接続された前記基地局装置または他の無線送受信手段から出力された送信多重信号を前記第２の光／電気変換手段から前記第２の電気／光変換手段にバイパスする、請求項９に記載の無線基地局システム。
【発明の詳細な説明】
【０００１】
【発明の属する技術分野】
本発明は、移動体通信システムに使用される無線基地局システムに関し、特に、基地局装置と複数の無線送受信部間を光ファイバでカスケード接続（縦続接続）した無線基地局システムに関する。
【０００２】
【従来の技術】
従来、移動体通信システムに使用される無線基地局システムでは、無線送受信部が基地局装置から分離され、基地局装置から離れた位置にある場合、基地局装置と無線送受信部間を同軸ケーブルで接続していた。
【０００３】
しかしながら、基地局装置と無線送受信部間を同軸ケーブルで接続する方式の場合、基地局装置と無線送受信部間で長距離伝送を行う時は伝送損失が大きいため、必要なアンテナ出力を得るために各装置内に大電力増幅部を設ける必要があり、高コスト、高消費電力になるという欠点があった。
【０００４】
そのため、最近では、基地局装置と無線送受信部間を長距離伝送に適した光ファイバで接続する方式が用いられるようになっている。基地局装置と無線送受信部間を光ファイバで接続する方式としては、例えば、基地局装置と無線送受信部間で光ファイバを経由してアナログ無線信号を光信号に変換して伝送を行う方式がある。他にも、基地局装置と複数の無線送受信部とを光ファイバでカスケード接続する方式がある（例えば、特許文献１参照）。
【０００５】
【特許文献１】
特開平０８−０１１７１９号公報
【０００６】
【発明が解決しようとする課題】
しかしながら、上述したような従来技術においては、以下に記載するような問題点がある。
【０００７】
基地局装置と無線送受信部間で光ファイバを経由してアナログ無線信号を光信号に変換して伝送を行う方式においては、アナログ無線信号を用いているために長距離伝送時にＮＦが悪化するという不具合があり、また光信号のダイナミックレンジに制約があるため高ダイナミックレンジを確保することが困難であった。
【０００８】
基地局装置と複数の無線送受信部とをカスケード接続する方式においては、任意の無線送受信部に障害が発生した場合、障害を発生した無線送受信部の後段に接続された無線送受信部の動作を停止させる必要があるため、運用システムのサービスの停止を余儀なくされた。
【０００９】
本発明の目的は、基地局装置と複数の無線送受信部とを光ファイバでカスケード接続した構成において、無線送受信部のいずれかが障害を発生した場合にも運用システムのサービスを継続することができるとともに、ＮＦ（雑音指数）やダイナミックレンジの制約を受けずに低コストでシステム運用を行うことができる無線基地局システムを提供することにある。
【００１０】
【課題を解決するための手段】
上記目的を達成するために本発明の無線基地局システムは、
基地局装置と、当該基地局装置に２本または１本の光ファイバによりカスケード接続された複数の無線送受信手段とを有してなる無線基地局システムにおいて、前記無線送受信手段は、少なくとも後段に接続された他の無線送受信手段から上り信号として出力された受信多重信号をバイパスするバイパス手段を有することを特徴とするものである。
【００１１】
この場合、前記無線送受信手段は、後段に接続された他の無線送受信手段から出力された受信多重信号と自己の無線送受信手段の受信多重信号とを合成して前記バイパス手段に出力する第１の合成手段を有し、前記バイパス手段は、自己の無線送受信手段が障害を発生した場合、前記第１の合成手段から出力された受信多重信号を遮断し、後段に接続された他の無線送受信手段から出力された受信多重信号をそのままバイパスし、前段に接続された前記基地局装置または他の無線送受信手段に出力することとしても良い。
【００１２】
また、前記バイパス手段は、自己の無線送受信手段が正常動作している場合、前記第１の合成手段から出力された受信多重信号を前段に接続された前記基地局装置または他の無線送受信手段に出力することとしても良い。
【００１３】
また、前記無線送受信手段は、前段に接続された前記基地局装置または他の無線送受信手段から下り信号として出力された送信多重信号を分配し、一方の送信多重信号をそのまま後段に接続された他の無線送受信手段に出力する第１の分離手段を有することとしても良い。
【００１４】
また、前記基地局装置は、前記複数の無線送受信手段の各々の設定または状態監視を行う送信制御信号と送信ベースバンド信号とを多重して前記複数の無線送受信手段分の送信多重信号を生成し、後段に接続された無線送受信手段に出力するとともに、後段に接続された無線送受信手段から出力された前記複数の無線送受信手段分の受信多重信号を受信ベースバンド信号と受信制御信号とに分離することとしても良い。
【００１５】
また、前記無線送受信手段は、前記第１の分離手段にて分配された他方の送信多重信号を入力とし、入力された他方の送信多重信号から自己の無線送受信手段宛の送信多重信号のみを抽出し、さらに抽出した送信多重信号を送信ベースバンド信号と送信制御信号とに分離して出力する第２の分離手段と、前記第２の分離手段から出力された送信ベースバンド信号を入力とし、入力された送信ベースバンド信号を外部に無線で送信するために送信無線信号に変換して出力する送信無線処理手段と、前記第２の分離手段から出力された送信制御信号を入力とし、入力された送信制御信号に基づき前記基地局装置への設定応答または状態監視応答を行う受信制御信号を生成して出力する制御手段と、外部から無線で受信した受信無線信号を入力とし、入力された受信無線信号を受信ベースバンド信号に変換して出力する受信無線処理手段と、前記制御手段から出力された受信制御信号および前記受信無線処理手段から出力された受信ベースバンド信号を入力とし、入力された受信制御信号と受信ベースバンド信号とを多重して自己の無線送受信手段の受信多重信号を生成して出力する第２の合成手段とを有することとしても良い。
【００１６】
また、前記無線送受信手段は、後段に接続された他の無線送受信手段から出力された受信多重信号を入力とし、入力された受信多重信号を光信号から電気信号に変換して出力する第１の光／電気変換手段と、前記第１の光／電気変換手段から出力された受信多重信号を入力とし、入力された受信多重信号をシリアルデータからパラレルデータに変換して前記バイパス手段に出力する第１のデシリアライザ手段と、前記バイパス手段から出力された受信多重信号を入力とし、入力された受信多重信号をパラレルデータからシリアルデータに変換して出力する第１のシリアライザ手段と、前記第１のシリアライザ手段から出力された受信多重信号を入力とし、入力された受信多重信号を電気信号から光信号に変換し、前段に接続された前記基地局装置または他の無線送受信手段に出力する第１の電気／光変換手段とを有し、前記バイパス手段は、自己の無線送受信手段が障害を発生した場合に、後段に接続された他の無線送受信手段から出力された受信多重信号を前記第１のデシリアライザ手段から前記第１のシリアライザ手段にバイパスするバスセレクト手段であることとしても良い。この場合、前記無線送受信手段は、前段に接続された前記基地局装置または他の無線送受信手段から出力された送信多重信号を入力とし、入力された送信多重信号を光信号から電気信号に変換して出力する第２の光／電気変換手段と、前記第２の光／電気変換手段から出力された送信多重信号を入力とし、入力された送信多重信号をシリアルデータからパラレルデータに変換して前記第１の分離手段に出力する第２のデシリアライザ手段と、前記第１の分離手段にて分配された一方の送信多重信号を入力とし、入力された送信多重信号をパラレルデータからシリアルデータに変換して出力する第２のシリアライザ手段と、前記第２のシリアライザ手段から出力された送信多重信号を入力とし、入力された送信多重信号を電気信号から光信号に変換し、後段に接続された他の無線送受信手段に出力する第２の電気／光変換手段とを有することとしても良い。
【００１７】
また、前記無線送受信手段は、後段に接続された他の無線送受信手段から出力された受信多重信号を入力とし、入力された受信多重信号を光信号から電気信号に変換して前記バイパス手段に出力する第１の光／電気変換手段と、前記バイパス手段から出力された受信多重信号を入力とし、入力された受信多重信号を電気信号から光信号に変換し、前段に接続された前記基地局装置または他の無線送受信手段に出力する第１の電気／光変換手段と、前記第１の合成手段から出力された受信多重信号を入力とし、入力された受信多重信号をパラレルデータからシリアルデータに変換して前記バイパス手段に出力する第１のシリアライザ手段と、前記バイパス手段から出力された受信多重信号を入力とし、入力された受信多重信号をシリアルデータからパラレルデータに変換して前記第１の合成手段に出力する第１のデシリアライザ手段とを有し、前記バイパス手段は、自己の無線送受信手段が障害を発生した場合に、後段に接続された他の無線送受信手段から出力された受信多重信号を前記第１の光／電気変換手段から前記第１の電気／光変換手段にバイパスする切り替え手段であることとしても良い。この場合、前記無線送受信手段は、前段に接続された前記基地局装置または他の無線送受信手段から出力された送信多重信号を入力とし、入力された送信多重信号を光信号から電気信号に変換して前記切り替え手段に出力する第２の光／電気変換手段と、前記切り替え手段から出力された送信多重信号を入力とし、入力された送信多重信号を電気信号から光信号に変換し、後段に接続された他の無線送受信手段に出力する第２の電気／光変換手段と、前記第１の分離手段にて分配された一方の送信多重信号を入力とし、入力された送信多重信号をパラレルデータからシリアルデータに変換して前記切り替え手段に出力する第１のシリアライザ手段と、前記切り替え手段から出力された送信多重信号を入力とし、入力された受信多重信号をシリアルデータからパラレルデータに変換して前記第１の分離手段に出力する第１のデシリアライザ手段とを有し、前記切り替え手段は、自己の無線送受信手段が障害を発生した場合、前段に接続された前記基地局装置または他の無線送受信手段から出力された送信多重信号を前記第２の光／電気変換手段から前記第２の電気／光変換手段にバイパスすることとしても良い。
【００１８】
（作用）
上記のように構成された本発明においては、無線送受信手段に、少なくとも後段に接続された他の無線送受信手段から出力された受信多重信号をバイパスするバイパス手段を設けているため、障害を発生した場合に、後段に接続された他の無線送受信手段の受信多重信号を破壊することなく前段に接続された基地局装置または他の無線送受信手段にそのままバイパス出力することが可能となる。
【００１９】
それにより、無線送受信手段のいずれかが障害を発生した場合も、後段に接続された全無線送受信手段の動作を停止させずに、運用システムのサービスを継続することが可能となる。
【００２０】
また、無線送受信手段に、前段に接続された基地局装置または他の無線送受信手段の送信多重信号を分配してそのまま後段に接続された他の無線送受信手段に出力する第１の分離手段を設けることにより、無線送受信手段のいずれかが障害を発生した場合に、前段に接続された基地局装置または他の無線送受信手段の送信多重信号についても破壊することなく後段に接続された他の無線送受信手段にそのまま分配出力することが可能となる。
【００２１】
【発明の実施の形態】
以下に、本発明の実施の形態について図面を参照して説明する。なお、以下の記載では、基地局装置が移動体通信システムで使用されているＷ−ＣＤＭＡ方式の基地局装置であり、かつ基地局装置にカスケード接続（縦続接続）された複数の無線送受信部が遠方にあるものとして説明する。また、基地局装置と無線送受信部間および各無線送受信部間は長距離伝送に適した光ファイバで接続されており、この光ファイバは伝送レート６００Ｍｂｐｓ〜１．２５Ｇｂｐｓの範囲内にてシリアル伝送させるものとして説明する。また、基地局装置と複数の無線送受信部間では２本（入出力各１本）の光ファイバを経由して２芯双方向通信を行うものとして説明するが、各装置内にＷＤＭ（波長分割多重）機能を備える光／電気変換部や電気／光変換部を使用することにより１本（入出力１本）の光ファイバを経由して１芯双方向通信を行うことも可能である。
【００２２】
（第１の実施形態）
図１は、本発明の一実施形態の無線基地局システムの全体ブロック図である。
【００２３】
図１を参照すると、本発明の一実施形態の無線基地局システムは、基地局装置１０１と、基地局装置１０１に２本の光ファイバ１０４によりカスケード接続された無線送受信部１０２，１０３とを有している。
【００２４】
図２は、基地局装置１０１の詳細なブロック図である。
【００２５】
図２を参照すると、基地局装置１０１は、送信ベースバンド信号を生成し、出力する送信ベースバンド信号処理部１と、送信制御信号を生成し、出力し、且つ、受信制御信号を入力とし、制御信号を処理するＣＰＵ２と、送信ベースバンド信号処理部１から出力された送信ベースバンド信号とＣＰＵ２から出力された送信制御信号を入力とし、合成し、送信多重信号を出力する合成部３と、合成部３から出力された送信多重信号を入力とし、パラレルデータをシリアルデータに変換し、出力するシリアライザ部４と、シリアライザ部４から出力された送信多重信号を入力とし、電気信号を光信号に変換し、無線送受信部１０２に出力する電気／光変換部５と、無線送受信部１０２から出力された受信多重信号を入力とし、光信号を電気信号に変換し、出力する光／電気変換部６と、光／電気変換部６から出力された受信多重信号を入力とし、シリアルデータをパラレルデータに変換し、出力するデシリアライザ部７と、デシリアライザ部７から出力された受信多重信号を入力とし、ＣＰＵ２へ受信制御信号を出力し、且つ、受信ベースバンド信号を出力する分離部８と、分離部８から出力された受信ベースバンド信号を入力とし、受信ベースバンド信号を処理する受信ベースバンド信号処理部９とを有している。
【００２６】
図３は、無線送受信部１０２の詳細なブロック図である。なお、無線送受信部１０３も無線送受信部１０２と同様の構成である。
【００２７】
図３を参照すると、無線送受信部１０２は、基地局装置１０１から出力された送信多重信号を入力とし、光信号を電気信号に変換し、出力する光／電気変換部１１と、光／電気変換部１１から出力された送信多重信号を入力とし、シリアルデータをパラレルデータに変換し、出力するデシリアライザ部１２と、デシリアライザ部１２から出力された送信多重信号を入力とし、２つに分離し、出力する分離部１３と、分離部１３から出力された一方の送信多重信号を入力とし、パラレルデータをシリアルデータに変換し、出力するシリアライザ部１４と、シリアライザ部１４から出力された送信多重信号を入力とし、電気信号を光信号に変換し、無線送受信部１０３に出力する電気／光変換部１５と、分離部１３から出力された他方の送信多重信号を入力とし、送信制御信号と送信ベースバンド信号を出力する分離部１６と、分離部１６から出力された送信制御信号を入力とし、制御信号を処理し、且つ、受信制御信号を生成し、出力するＣＰＵ１７と、分離部１６から出力された送信ベースバンド信号を入力とし、送信無線信号を生成する送信無線処理部１８と、送信無線処理部１８から出力された送信無線信号を入力とし、出力するデュプレクサ部１９と、デュプレクサ部１９から出力された送信無線信号を入力とし、外部へ出力し、且つ、外部から出力された受信無線信号を入力とし、出力するアンテナ部２０と、アンテナ部２０から出力された受信無線信号を入力とし、受信ベースバンド信号を出力する受信無線処理部２１と、受信無線処理部２１から出力された受信ベースバンド信号と、ＣＰＵ１７から出力された受信制御信号を入力とし、多重し、受信多重信号を出力する合成部２２と、無線送受信部１０３から出力された受信多重信号を入力とし、光信号を電気信号に変換し、出力する光／電気変換部２４と、光／電気変換部２４から出力された受信多重信号を入力とし、シリアルデータをパラレルデータに変換し、出力するデシリアライザ部２５と、デシリアライザ部２５から出力された受信多重信号を無線送受信部１０２が正常時には合成部２３に伝達するとともに合成部２３より出力される合成された受信多重信号をシリアライザ部２７に出力し、一方、異常時には切り替えてデシリアライザ部２７に出力するとともに合成部２３から出力される受信多重信号を遮断するバスセレクト部２６と、バスセレクト部２６から出力された受信多重信号と合成部２２から出力された受信多重信号を合成しバスセレクト部２６に出力する合成部２３と、バスセレクト部２６から出力された受信多重信号のパラレルデータをシリアルデータに変換し、出力するシリアライザ部２７と、シリアライザ部２７から出力された受信多重信号を入力とし、電気信号を光信号に変換し、基地局装置１０１に出力する電気／光変換部２８とを有している。
【００２８】
図４は、無線送受信部１０２内のバスセレクト部２６の詳細を示すブロック図である。また、図５は、無線送受信部１０２内の合成部２３の詳細を示すブロック図である。なお、バスセレクト部２６および合成部２３は、８ビットまたは１６ビットのパラレルデータを処理する構成が一般的であるが、ここではわかり易くするために４ビットパラレルデータを処理する構成について説明する。
【００２９】
図４を参照すると、バスセレクト部２６は、一端に自己の無線送受信部１０２に障害（以下、ＡＬＭという）が発生しているか否かを示すＡＬＭ信号が入力され、他端にデシリアライザ部２５から出力された４ビットパラレルデータが入力される論理積回路（以下、ＡＮＤという）２０１ａ〜２０１ｄと、上記のＡＬＭ信号が入力される否定回路（以下、ＮＯＴという）２０２と、一端に合成部２３から出力された４ビットパラレルデータが入力され、他端にＮＯＴ２０２の出力が入力されるＡＮＤ２０３ａ〜２０３ｄと、一端にＡＮＤ２０３ａ〜２０３ｄの出力が入力され、他端にＡＮＤ２０１ａ〜２０１ｄの出力が入力される論理和回路（以下、ＯＲという）２０４ａ〜２０４ｄとを有している。なお、ＡＬＭとは、例えば、無線送受信部１０２内のＣＰＵ１７の動作停止により、無線送受信部１０２内で各種の不具合が発生している状態を言うが、詳細な説明は後述する。
【００３０】
図５を参照すると、合成部２３は、バスセレクト部２６から出力された４ビットパラレルデータを溜め込む受信バッファ３０１と、合成部２２から出力された４ビットパラレルデータを溜め込む送信バッファ３０２と、受信バッファ３０１および送信バッファ３０２にそれぞれ溜め込まれた４ビットパラレルデータを合成して溜め込む合成バッファ３０３とを有している。
【００３１】
以下に、上記のように構成された本発明の第１の実施形態の無線基地局システムの動作の一例について説明する。
【００３２】
最初に、外部の端末装置（不図示）に送信される下り信号（送信信号）の流れについて、図２および図３を参照して説明する。
【００３３】
図２を参照すると、基地局装置１０１においては、送信ベースバンド信号処理部１で生成された２キャリア分の送信ベースバンド信号が合成部３に出力される。一方、ＣＰＵ２では無線送受信部１０２，１０３の各種設定や状態監視を行う送信制御信号が生成され合成部３に出力される。
【００３４】
次に、合成部３では、送信ベースバンド信号処理部１から出力された２キャリア分の送信ベースバンド信号とＣＰＵ２から出力された送信制御信号との多重が行われる。ここでの多重処理では、図６に示すように、まず、フレームの先頭に同期信号が付加される。同期信号は、送信ベースバンド信号の各キャリアと送信制御信号のデータ位置を検出するために使用される。また、同期信号の次の時間には送信制御信号が付加される。送信ベースバンド信号は振幅データであるために連続送信が必要であり、送信制御信号は送信ベースバンド信号と比較して一般的にデータ量が少ない。また、送信制御信号の次の時間にはキャリア１、キャリア２、キャリア３、キャリア４の送信ベースバンド信号がそれぞれ付加される。本例ではキャリア３、キャリア４の送信ベースバンド信号は空とする。光ファイバの伝送では、通常、８Ｂ／１０Ｂエンコード／デコードにより８／１０ｂｉｔの変換処理が行われ、１０ｂｉｔの信号がシリアル伝送される。
【００３５】
合成部３にて多重処理が行われた送信多重信号は、シリアライザ部４に入力され、シリアルデータに変換される。シリアライザ部４にてシリアルデータに変換された送信多重信号は、電気／光変換部５に入力され、電気信号から光信号に変換される。電気／光変換部５にて光信号に変換された送信多重信号は、光ファイバ１０４を経由して無線送受信部１０２に出力される。
【００３６】
図３を参照すると、無線送受信部１０２においては、基地局装置１０１から出力された送信多重信号が光／電気変換部１１に入力され、光信号から電気信号に変換される。光／電気変換部１１にて電気信号に変換された送信多重信号は、デシリアライザ部１２に入力され、パラレルデータに変換される。なお、デシリアライザ１２は、通常、送信側のシリアルデータに同期したＣＬＫを抽出できるため、このＣＬＫを無線送受信部１０２の基準ＣＬＫとすることにより、基地局装置１０１と無線送受信部１０２は周波数同期を取ることができる。
【００３７】
次に、デシリアライザ部１２にてパラレルデータに変換された送信多重信号は、分離部１３に入力される。分離部１３では、デシリアライザ部１２から出力された送信多重信号がシリアライザ部１４および分離部１６の双方に分配出力される。このように、分離部１３からシリアライザ部１４および分離部１６の双方に同じ送信多重信号を出力させることにより、後段の無線送受信部１０３でも無線送受信部１０２と同じ送信多信号を抽出できるようにしておく。
【００３８】
分離部１３から出力された一方の送信多重信号はシリアライザ部１４に入力され、シリアルデータに変換される。シリアライザ部１４にてシリアルデータに変換された送信多重信号は、電気／光変換部１５に入力され、電気信号から光信号に変換される。電気／光変換部１５にて光信号に変換された送信多重信号は、光ファイバ１０４を経由して無線送受信部１０３に出力される。
【００３９】
一方、分離部１３から出力された他方の送信多重信号は分離部１６に入力される。分離部１６では、分離部１３から出力された送信多重信号のうち無線送受信部１０２宛の信号のみが抽出され、さらに抽出された信号が送信制御信号と送信ベースバンド信号とに分離される。ここでの抽出処理では、同期信号の位置に基づき、無線送受信部１０２宛の送信制御信号および送信ベースバンド信号の位置が認識され、それぞれのデータが抽出される。例えば、無線送受信部１０２、１０３にキャリア１、キャリア２をそれぞれ割り当てることができ、このときは１つの無線送受信部につき最大１キャリアの送信が可能である。このように分離部１６で抽出処理を行うことにより、ＣＰＵ１７では自己の無線送受信部１０２宛の送信制御信号のみを処理することができ、また、送信無線処理部１８以降に配置された各構成要素は、自己の無線送受信部１０２宛の送信ベースバンド信号のみを処理することができる。
【００４０】
次に、送信無線処理部１８に入力された送信ベースバンド信号は、デジタル／アナログ変換され、周波数変換され、送信無線信号としてデュプレクサ部１９に出力される。デュプレクサ部１９に入力された送信無線信号はアンテナ部２０に出力される。なお、この送信無線信号は、方向性があるために受信無線処理部２１には漏洩されないようになっている。アンテナ部２０に入力された送信無線信号は、外部へ出力されて電波となり、空間伝搬により端末装置へ送信される。
【００４１】
なお、無線送受信部１０３においては、無線送受信部１０２から出力された送信多重信号を入力として、無線送受信部１０２と同様の動作が行われる。
【００４２】
続いて、外部の端末装置（不図示）から受信される上り信号（受信信号）の流れについて、図２、図３、図４、および図５を参照して説明する。
【００４３】
図３を参照すると、無線送受信部１０２においては、外部の端末装置から送信され空間伝搬された受信無線信号は、アンテナ部２０に入力され、アンテナ部２０からデュプレクサ部１９に出力される。デュプレクサ部１９に入力された受信無線信号は、受信無線処理部２１に出力される。なお、この受信無線信号は、方向性があるために送信無線処理部１８には漏洩されないようになっている。受信無線処理部２１に入力された受信無線信号は、周波数変換され、アナログ／デジタル変換され、受信ベースバンド信号として合成部２２に出力される。一方、ＣＰＵ１７では基地局装置１０１への各種の設定応答や状態監視応答を行う受信制御信号が生成され合成部２２に出力される。
【００４４】
次に、合成部２２では、ＣＰＵ１７から出力された受信制御信号と受信無線処理部２１から出力された受信ベースバンド信号との多重が行われる。合成部２２にて多重処理が行われた受信多重信号は、合成部２３に入力される。ここでの多重処理では、送信信号の場合と同様に、図６に示すように、まず、フレームの先頭に同期信号が付加される。同期信号は、受信ベースバンド信号の各キャリアと受信制御信号のデータ位置を検出するために使用される。また、同期信号の次の時間には受信制御信号が付加される。受信ベースバンド信号は振幅データであるために連続送信が必要であり、受信制御信号は受信ベースバンド信号と比較して一般的にデータ量が少ない。また、受信制御信号の次の時間にはキャリア１、キャリア２の受信ベースバンド信号がそれぞれ付加される。光ファイバの伝送では、通常、８Ｂ／１０Ｂエンコード／デコードにより８／１０ｂｉｔの変換処理が行われ、１０ｂｉｔの信号がシリアル伝送される。
【００４５】
一方、後段の無線送受信部１０３でも上記と同様の多重処理が行われており、無線送受信部１０３の受信多重信号は光ファイバ１０４を経由して無線送受信部１０２に出力される。無線送受信部１０３から出力された受信多重信号は、光／電気変換部２４に入力され、光信号から電気信号に変換される。光／電気変換部２４にて電気信号に変換された受信多重信号は、デシリアライザ部２５に入力され、パラレルデータに変換される。デシリアライザ部２５にてパラレルデータに変換された受信多重信号は、バスセレクト部２６に入力される。
【００４６】
以降の動作は、無線送受信部１０２が正常に動作しているか否か、すなわちＡＬＭの発生がないか否かに応じて異なるため、以下では、無線送受信部１０２が正常に動作している場合の動作と、無線送受信部１０２が異常動作している場合の動作とを分けて説明する。
【００４７】
最初に、無線送受信部１０２が正常に動作している場合、すなわちＡＬＭの発生がない場合の動作について説明する。
【００４８】
図４を参照すると、無線送受信部１０２内のバスセレクト部２６では、無線送受信部１０２にＡＬＭの発生がない場合には、ＬレベルのＡＬＭ信号がＮＯＴ２０２に入力されるとともにＡＮＤ２０１ａ〜２０１ｄの一端にも入力される。また、デシリアライザ部２５から出力された４ビットパラレルデータ、すなわち後段の無線送受信部１０３の受信多重信号はＡＮＤ２０１ａ〜２０１ｄの他端に入力されるとともに合成部２３にも入力される。このとき、ＡＮＤ２０１ａ〜２０１ｄの一端にはＬレベルが入力されているため、ＡＮＤ２０１ａ〜２０１ｄの出力はＬレベルに固定され、ＯＲ２０４ａ〜２０４ｄの一端に入力される。
【００４９】
図５を参照すると、無線送受信部１０２内の合成部２３では、バスセレクト部２６から出力された４ビットパラレルデータ、すなわち後段の無線送受信部１０３の受信多重信号は受信バッファ３０１に溜め込まれ、合成部２２から出力された４ビットパラレルデータ、すなわち自己の無線送受信部１０２の受信多重信号は送信バッファ３０２に溜め込まれる。受信バッファ３０１に溜め込まれた受信多重信号は図６のキャリア２のタイムスロットに収容され、送信バッファ３０２に溜め込まれた受信多重信号は図６のキャリア１のタイムスロットに収容されるように、指定されたタイミングに同期して合成バッファ３０３に出力される。合成バッファ３０３に溜め込まれた４ビットパラレルデータはバスセレクト部２６に出力される。
【００５０】
再度図４を参照すると、無線送受信部１０２内のバスセレクト部２６では、合成部２３から出力された４ビットパラレルデータ、すなわち無線送受信部１０２，１０３の合成された受信多重信号はＡＮＤ２０３ａ〜２０３ｄの一端に入力される。ＡＮＤ２０３ａ〜２０３ｄの他端には、無線送受信部１０２が正常に動作している場合はＨレベル固定のＮＯＴ２０２の出力が入力されている。そのため、合成部２３から出力された４ビットパラレルデータはＡＮＤ２０３ａ〜２０３ｄをスルー動作しＯＲ２０４ａ〜２０４ｄの一端に入力される。前述したようにＯＲ２０４ａ〜２０４ｄの他端にはＬレベルが入力されているので、合成部２３から出力された４ビットパラレルデータがＯＲ２０４ａ〜２０４ｄからそのまま出力され、シリアライザ部２７に入力される。
【００５１】
図３を参照すると、シリアライザ部２７に入力された受信多重信号は、シリアルデータに変換され、電気／光変換部２８に入力される。電気／光変換部２８に入力された受信多重信号は、電気信号から光信号に変換され、光ファイバ１０４を経由して基地局装置１０１に出力される。
【００５２】
図２を参照すると、基地局装置１０１においては、無線送受信部１０２から出力された受信多重信号は、光／電気変換部６に入力され、光信号から電気信号に変換される。光／電気変換部６にて電気信号に変換された受信多重信号は、デシリアライザ部７に入力され、パラレルデータに変換される。
【００５３】
デシリアライザ部７にてパラレルデータに変換された受信多重信号は、分離部８に出力される。分離部８では、デシリアライザ部７から出力された受信多重信号が受信制御信号と受信ベースバンド信号とに分離され、受信制御信号がＣＰＵ２に出力され、受信ベースバンド信号が受信ベースバンド信号処理部９に出力される。このとき、同期信号の位置に基づき受信制御信号と受信ベースバンド信号の位置が認識される。受信ベースバンド信号の位置を認識する場合は、図６に示すように予め伝送フォーマットを決めておくことにより、どのキャリアの受信ベースバンド信号か判断できる。受信ベースバンド信号処理部９では、分離部８から出力された受信ベースバンド信号に対し、誤り訂正復号、フレーム化、データ復調、逆拡散処理が行われる。
【００５４】
すなわち、本実施形態においては、無線送受信部１０２が正常に動作している場合は、無線送受信部１０２および無線送受信部１０３合成された受信多重信号が基地局装置１０１に出力されるため、基地局装置１０１にてそれぞれを正しく復号することができる。
【００５５】
一方、無線送受信部１０２が異常動作している場合、すなわちＡＬＭを発生している場合の動作について説明する。なお、ＡＬＭが発生している状態とは、例えば、無線送受信部１０２内のＣＰＵ１７が動作停止になり、図６の指定されたタイムスロットにキャリア１，キャリア２の受信多重信号を正しく収容できない、受信制御信号も正しく収容できない、基地局装置１０１と周波数同期できない状態のことである。この場合は、基地局装置１０１にてそれぞれを正しく復号することができないため、基地局装置１０１と外部の端末装置間で通信を行うことができない状態となる。
【００５６】
図４を参照すると、無線送受信部１０２内のバスセレクト部２６では、無線送受信部１０２にＡＬＭが発生している場合には、ＨレベルのＡＬＭ信号がＮＯＴ２０２に入力されるとともにＡＮＤ２０１ａ〜２０１ｄの一端にも入力される。そのため、デシリアライザ部２５から出力された４ビットパラレルデータ、すなわち無線送受信部１０２の受信多重信号はＡＮＤ２０１ａ〜２０１ｄをスルー動作しＯＲ２０４ａ〜２０４ｄの一端に入力される。このとき、ＮＯＴ２０２の出力はＬレベルであるため、ＡＮＤ２０３ａ〜２０３ｄの他端もＬレベルとなり、ＡＮＤ２０３ａ〜２０３ｄの出力はＬレベルに固定される。すなわち、合成部２３から出力された受信多重信号はＡＮＤ２０３ａ〜２０３ｄにより遮断された状態となる。したがって、ＯＲ２０４ａ〜２０４ｄの他端は常時Ｌレベルとなるため、デシリアライザ部２５から出力された４ビットパラレルデータはＯＲ２０４ａ〜２０４ｄをスルー動作しシリアライザ部２７に入力される。
【００５７】
すなわち、本実施形態においては、無線送受信部１０２が異常動作している場合は、バスセレクト部２６内で、自己の無線送受信部１０２の受信多重信号が遮断され、後段の無線送受信部１０３の上り信号（受信多重信号）のみがそのままバイパスされて基地局装置１０１に出力される。
【００５８】
したがって、例えば、基地局装置１０１に最も近い位置に設置されている無線送受信部１０２が障害を発生した場合、従来技術においては、後段の無線送受信部１０３が正常であっても無線送受信部１０３の上り信号（受信多重信号）が無線送受信部１０２を経由することにより破壊される恐れがあるため、無線送受信部１０２の後段の全無線送受信部の動作停止（システム断）を余儀なくされた。
【００５９】
これに対して、本実施形態においては、後段の無線送受信部１０３の上り信号（受信多重信号）は無線送受信部１０２のバスセレクト部２６により基地局装置１０１にバイパスされる構成であるため、無線送受信部１０２が障害を発生した場合、無線送受信部１０２では上り信号（受信多重信号）が破壊されることなく基地局装置１０１にそのまま出力される。したがって、後段の無線送受信部１０３の動作を停止させず、必要最小限の動作停止（障害を発生した無線送受信部１０２のみ）で済むため、運用システムのサービスを継続することができる。
【００６０】
なお、本実施形態においては、基地局装置１０１の下り信号（送信多重信号）は無線送受信部１０２の分離部１３により後段の無線送受信部１０３に分配される構成であるため、無線送受信部１０２が障害を発生した場合、無線送受信部１０２では下り信号（送信多重信号）についても破壊されることなく後段の無線送受信部１０３にそのまま出力される。
【００６１】
（第２の実施形態）
本発明の第２の実施形態の無線基地局システムは、上述した第１の実施形態に対して、無線送受信部１０２，１０３の内部構成のみが異なり、図１に示した無線基地局システム全体の構成および図２に示した基地局装置１０１の内部構成は同様である。
【００６２】
図７は、本発明の第２の実施形態の無線基地局システムにおける無線送受信部１０２の詳細を示す図である。なお、無線送受信部１０３も無線送受信部１０２と同様の構成である。また、図８は、図７の切り替え部２９の詳細を示すブロック図である。図７および図８において、図３と同様の部分については同一の符号を付し、説明を省略する。
【００６３】
図７を参照すると、本実施形態における無線送受信部１０２は、図３に示した第１の実施形態に対して、光／電気変換部１１とデシリアライザ部１２間、シリアライザ部１４と電気／光変換部１５間、電気／光変換部２８とシリアライザ部２７間、光／電気変換部２４とデシリアライザ部２５間それぞれに入出力側が共通端子となる１対２の切り替え機能を備えた切り替え部２９を挿入し、バスセレクト部２６を削除した構成である。
【００６４】
図８を参照すると、切り替え部２９は、光／電気変換部１１，２４の出力側に接続されたバッファ４０１，４０９と、電気／光変換部１５，２８の入力側に接続された４０４，４０８と、デシリアライザ部１２，２５の入力側に接続された４０２，４１０と、シリアライザ部１４，２７の出力側に接続された４０３，４０７と、自己の無線送受信部１０２にＡＬＭが発生しているか否かを示すＡＬＭ信号が入力されるバッファ４０６と、駆動コイルの一端に電源（＋Ｖ）が接続され、他端にバッファ４０６の出力が接続された高周波リレー４１１，４０５とを有している。なお、高周波リレー４１１，４０５は市販されているＲＸリレー（例えば、松下電工株式会社製）を使用すればよい。また、光／電気変換部１１，２４の出力側、電気／光変換部１５，２８の入力側、デシリアライザ部１２，２５の入力側、シリアライザ部１４，２７の出力側のそれぞれの電気的インタフェースは１００Ωの差動伝送を行うため、＋，−の２線が必要である。
【００６５】
以下に、上記のように構成された本発明の第２の実施形態の無線基地局システムの動作の一例について説明する。
【００６６】
最初に、外部の端末装置（不図示）から受信される上り信号（受信信号）の流れについて、図７および図８を参照して説明する。
【００６７】
図７および図８を参照すると、無線送受信部１０２においては、無線送受信部１０３から出力された受信多重信号は、光／電気変換部２４に入力され、光信号から電気信号に変換されて切り替え部２９に出力される。
【００６８】
次に、切り替え部２９では、光／電気変換部２４にて電気信号に変換された受信多重信号は、差動入力をＥＣＬ（エミッタカプルドロジック）出力に変換するバッファ４０９に入力される。バッファ４０９の出力は２回路を具備する高周波リレー４１１の一方の１回路に入力される。
【００６９】
高周波リレー４１１（および高周波リレー４０５）の駆動コイルの一端には電源（＋Ｖ）が接続され、他端には自己の無線送受信部１０２にＡＬＭが発生しているか否かを示すＡＬＭ信号出力が接続されている。このＡＬＭ信号は無線送受信部１０２が正常に動作している場合はＬレベル（障害発生時はＨレベル）となる。また、このＡＬＭ信号は、大きな駆動電流を流すことができるバッファ４０６を経由して駆動コイルの他端に入力されている。
【００７０】
無線送受信部１０２が正常に動作し、ＡＬＭ信号がＬレベルである場合、高周波リレー４１１（および高周波リレー４０５）は駆動コイルに電流が流れることにより動作状態となり、高周波リレー４１１内の２回路（および高周波リレー４０５内の２回路）とも図８の実線のようなリレー接点状態となる。すなわち、高周波リレー４１１（および高周波リレー４０５）は駆動した状態である。したがって、無線送受信部１０３の受信多重信号は、光／電気変換部２４およびバッファ４０９を経て高周波リレー４１１の一方の１回路を経由し、さらにＥＣＬ入力を差動伝送出力に変換するバッファ４１０を経由して、デシリアライザ部２５に入力される。
【００７１】
また、シリアライザ部２７から出力された無線送受信部１０２および無線送受信部１０３の合成された受信多重信号の差動伝送出力は、差動入力をＥＣＬ出力に変換するバッファ４０７に入力される。バッファ４０７の出力は高周波リレー４１１の他方の１回路を経て、ＥＣＬ入力を差動伝送出力に変換するバッファ４０８を通り、電気／光変換部２８に入力される。
【００７２】
すなわち、本実施形態においては、無線送受信部１０２が正常に動作している場合は、切り替え部２９内で、無線送受信部１０２および無線送受信部１０３の受信多重信号が合成されて基地局装置１０１に出力されるため、基地局装置１０１にてそれぞれを正しく復号することができる。
【００７３】
一方、無線送受信部１０２にＡＬＭが発生し、ＡＬＭ信号がＨレベルとなった場合、高周波リレー４１１（および高周波リレー４０５）の駆動コイルの他端にはＨレベルが入力されるため駆動コイルに流れていた電流は断となり、高周波リレー４１１の２回路（および高周波リレー４０５の２回路）のリレー接点は図８の点線のようになる。したがって、無線送受信部１０３の受信多重信号は、光／電気変換部２４およびバッファ４０９を経て高周波リレー４１１の２回路を経由し、バッファ４０８を経て電気／光変換部２８に入力される。
【００７４】
すなわち、本実施形態においては、無線送受信部１０２が異常動作している場合は、切り替え部２９内で、自己の無線送受信部１０２の受信多重信号が遮断され、後段の無線送受信部１０３の受信多重信号がそのままバイパスされて基地局装置１０１に出力される。
【００７５】
続いて、外部の端末装置（不図示）に送信される下り信号（送信信号）の流れについて、図７および図８を参照して説明する。
【００７６】
図７および図８を参照すると、無線送受信部１０２においては、基地局装置１０１から出力された送信多重信号が光／電気変換部１１に入力され、光信号から電気信号に変換されて切り替え部２９に出力される。
【００７７】
切り替え部２９では、受信信号の場合と同様に、無線送受信部１０２が正常に動作している場合は、高周波リレー４１１の２回路（および高周波リレー４０５の２回路）のリレー接点は図８の実線のようになり、無線送受信部１０２にＡＬＭが発生している場合は、高周波リレー４１１の２回路（および高周波リレー４０５の２回路）のリレー接点は図８の点線のようになる。
【００７８】
したがって、無線送受信部１０２が正常に動作している場合は、基地局装置１０１から出力された送信多重信号は高周波リレー４０５の一方の１回路、バッファ４０２およびデシリアライザ部１２を経て分離部１３に入力される。分離部１３では、第１の実施形態と同様に、デシリアライザ部１２から出力された送信多重信号がシリアライザ部１４および分離部１６の双方に出力され、このうちシリアライザ部１４に入力された送信多重信号は、バッファ４０３、高周波リレー４０５の他方の１回路、バッファ４０４および電気／光変換部１５を経て無線送受信部１０３に出力される。
【００７９】
一方、無線送受信部１０２にＡＬＭが発生している場合は、無線基地局１０１から出力された送信多重信号は、高周波リレー４０５の２回路を経由し、バッファ４０４および電気／光変換部１５を経て無線送受信部１０３に出力される。
【００８０】
すなわち、本実施形態においては、無線送受信部１０２が異常動作している場合は、受信多重信号と同様に、切り替え部２９内で、基地局装置１０１の送信多重信号もそのままバイパスされて無線送受信部１０３に出力される。
【００８１】
したがって、例えば、基地局装置１０１に最も近い位置に設置されている無線送受信部１０２が障害を発生した場合、従来技術においては、後段の無線送受信部１０３が正常であっても無線送受信部１０３の上り信号（受信多重信号）が無線送受信部１０２を経由することにより破壊される恐れがあるため、無線送受信部１０２の後段の全無線送受信部の動作停止（システム断）を余儀なくされた。
【００８２】
これに対して、本実施形態においては、後段の無線送受信部１０３の上り信号（受信多重信号）は無線送受信部１０２の切り替え部２９により基地局装置１０１にバイパスされる構成であるため、無線送受信部１０２が障害を発生した場合、無線送受信部１０２では上り信号（受信多重信号）が破壊されることなく基地局装置１０１にそのまま出力される。したがって、後段の無線送受信部１０３の動作を停止させず、必要最小限の動作停止（障害を発生した無線送受信部１０２のみ）で済むため、運用システムのサービスを継続することができる。
【００８３】
なお、本実施形態においては、ＡＬＭが発生した時の対応として信頼性向上のために高周波リレー４０５により基地局装置１０１の下り信号（送信多重信号）もバイパスしているが、下り信号（送信多重信号）は無線送受信部１０２の分離部１３により後段の無線送受信部１０３に分配される構成であるため、下り信号（送信多重信号）をバイパスする動作は削除することも可能である。
【００８４】
【発明の効果】
以上説明したように本発明においては、以下に示す効果を有する。
【００８５】
第１の効果は、無線送受信手段では、少なくとも後段に接続された他の無線送受信手段から出力された受信多重信号をバイパスするバイパス手段を設けているため、障害を発生した場合、後段に接続された他の無線送受信手段の受信多重信号を破壊することなく前段に接続された基地局装置または他の無線送受信手段にそのままバイパス出力することができ、それにより、無線送受信手段のいずれかが障害を発生した場合も、後段に接続された全無線送受信手段の動作を停止させずに、運用システムのサービスを継続することができるということである。
【００８６】
なお、無線送受信手段では、前段に接続された基地局装置または他の無線送受信手段の送信多重信号を分配してそのまま後段に接続された他の無線送受信手段に出力する第１の分離手段を設けているため、障害を発生した場合、前段に接続された基地局装置または他の無線送受信手段の送信多重信号についても破壊することなく後段に接続された他の無線送受信手段にそのまま分配出力することができる。
【００８７】
第２の効果は、基地局装置は、送信側で複数の無線送受信手段分の送信多重信号を多重し、受信側で複数の無線送受信手段毎に分離することにより、基地局装置と複数の無線送受信手段とのカスケード接続を実現しているため、基地局装置と複数の無線送受信手段の各々とをそれぞれ単独に接続する必要がなくなり、使用する光ファイバ数を少なくでき、それにより、光ファイバを借用する場合に低コストの無線基地局システムを供給することができるということである。さらに、基地局装置が親（マスター）で無線送受信手段が子（スレーブ）という関係を割り当てることができるという効果も有する。
【００８８】
第３の効果は、基地局装置と複数の無線送受信手段の間で、ベースバンド信号と制御信号とを多重したデジタル多重信号を光ファイバを経由して伝送しているため、ＮＦ（雑音指数）やダイナミックレンジの制約のない低コストのシステムを供給できるということである。
【図面の簡単な説明】
【図１】本発明の第１および第２の実施形態の無線基地局システムの全体ブロック図である。
【図２】本発明の第１および第２の実施形態の無線基地局システムにおける基地局装置１０１の詳細を示すブロック図である。
【図３】本発明の第１の実施形態の無線基地局システムにおける無線送受信部１０２の詳細を示すブロック図である。
【図４】本発明の第１の実施形態の無線基地局システムにおける無線送受信部１０２内のバスセレクト部２６の詳細を示すブロック図である。
【図５】本発明の第１および第２の実施形態の無線基地局システムにおける無線送受信部１０２内の合成部２３の詳細を示すブロック図である。
【図６】本発明の第１および第２の実施形態の無線基地局システムにおける伝送フォーマットの一例を示す図である。
【図７】本発明の第２の実施形態の無線基地局システムにおける無線送受信部１０２の詳細を示すブロック図である。
【図８】本発明の第２の実施形態の無線基地局システムにおける無線送受信部１０２内の切り替え部２９の詳細を示すブロック図である。
【符号の説明】
１    送信ベースバンド信号処理部
２    ＣＰＵ
３    合成部
４    シリアライザ部
５    電気／光変換部
６    光／電気変換部
７    デシリアライザ部
８    分離部
９    受信ベースバンド信号処理部
１１    光／電気変換部
１２    デシリアライザ部
１３    分離部
１４    シリアライザ部
１５    電気／光変換部
１６    分離部
１７    ＣＰＵ
１８    送信無線処理部
１９    デュプレクサ部
２０    アンテナ部
２１    受信無線処理部
２２    合成部
２３    合成
２４    光／電気変換部
２５    デシリアライザ部
２６    バスセレクト部
２７    シリアライザ部
２８    電気／光変換部
２９    切り替え部
１０１    基地局装置
１０２    無線送受信部
１０３    無線送受信部
１０４    光ファイバ
２０１ａ〜２０１ｄ    論理積回路（ＡＮＤ）
２０２    否定回路（ＮＯＴ）
２０３ａ〜２０３ｄ    論理積回路（ＡＮＤ）
２０４ａ〜２０４ｄ    論理和回路（ＯＲ）
３０１    受信バッファ
３０２    送信バッファ
３０３    合成バッファ
４０１〜４０４、４０６〜４１０    バッファ
４０５、４１１    高周波リレー
【図１】
2004247824.tif 000003
【図２】
2004247824.tif 000004
【図３】
2004247824.tif 000005
【図４】
2004247824.tif 000006
【図５】
2004247824.tif 000007
【図６】
2004247824.tif 000008
【図７】
2004247824.tif 000009
【図８】
2004247824.tif 000010